(57)【特許請求の範囲】
【請求項１】
昇降路の所定経路を昇降するかごと、上記昇降路の他の所定経路を昇降するつり合おもりと、上記昇降路の下部に設置された巻上機と、上記昇降路の頂部の下側に設けられて上記つり合おもりの上方に配置された支持梁と、上記昇降路に立設されて上端が上記支持梁の下側に配置され、上記つり合おもりの昇降を案内するつり合おもり用案内レールと、一端が上記昇降路上部の上記かごの側面に対応する位置に連結されて下降して上記かごに設けられたかご用吊り車に巻掛けられて上昇し、上記支持梁の上記巻上機寄りの端部を介して枢持されたかご側滑車に巻掛けられて下降して上記巻上機の駆動綱車に巻掛けられて上昇し、上記支持梁の上記巻上機寄りの端部を介して枢持されたつり合おもり側滑車に巻掛けられて下降し、上記つり合おもりに設けられたつり合おもり用吊り車に巻掛けられて上昇して他端は上記支持梁に連結された主索と、上部が上記支持梁の上記巻上機寄りの端部における下側に連結されて下部は上記つり合おもり用案内レールの上端に連結された枢持枠とを備え、上記かご側滑車及びつり合おもり側滑車の両者の一方を上記支持梁の上側に枢着し、上記両者の他方を上記枢持枠に挟持状態に枢着したことを特徴とするエレベーター装置。
【請求項２】
支持梁を、水平方向に空隙を形成して互いに平行に配置された二本の部材によって構成し、枢持枠を、Ｕ字状をなしこのＵ字の上部が上記二本の部材にそれぞれ連結して構成して、かご側滑車及びつり合おもり側滑車の両者の一方を上記支持梁の上側に枢着し、上記両者の他方を上記支持梁及び枢持枠の間に配置して挟持状態に枢着したことを特徴とする請求項１記載のエレベーター装置。
【請求項３】
かご側滑車を支持梁の上側に配置し、つり合おもり側滑車を枢持枠に配置したことを特徴とする請求項１及び請求項２のいずれか一方に記載のエレベーター装置。
【請求項４】
つり合おもり側滑車を支持梁の上側に配置し、かご側滑車を枢持枠に配置したことを特徴とする請求項１及び請求項２のいずれか一方に記載のエレベーター装置。
【発明の詳細な説明】
【０００１】
【発明の属する技術分野】
この発明は、主索が２：１ローピングによって吊設され、この主索の両端にそれぞれ吊持されたかご及びつり合おもりが互いに反対方向に昇降するエレベーター装置に関する。
【０００２】
【従来の技術】
図９〜図１２は、従来のエレベーター装置を示す図で、図９は昇降路の要部横断平面図、図１０は図９の昇降路内の要部右側面図、図１１は図１０の上部拡大図、図１２は図１１の要部左側面図である。図において、１は昇降路、２は昇降路１内の所定経路を昇降するかご、３は昇降路１に立設されてかご２の両側に配置され、かご２の昇降を案内するかご用案内レールである。
【０００３】
４は昇降路１内の他の所定経路を昇降するつり合おもり、５は昇降路１に立設されてつり合おもり４の長手の両側に配置され、つり合おもり４の昇降を案内するつり合おもり用案内レール、６は昇降路１の下部に設置された巻上機で、駆動綱車７が設けられている。
【０００４】
８は昇降路１の頂部の下側に設けられてつり合おもり４の上方に配置された支持梁で、つり合おもり用案内レール５の上端部に支持され、巻上機６側の端部が突出して配置されている。９は昇降路１上部のかご２の側面に対応する位置に固定されたかご側綱止め具である。
【０００５】
１０は主索で、一端がかご側綱止め具９に連結されて下降してかご２の両側に設けられたかご用吊り車１１に巻掛けられて上昇し、支持梁８の巻上機６側の突出端部から下垂した枢持板１２に枢持されたかご側滑車１３に巻掛けられて下降し駆動綱車７に巻掛けられて上昇し、支持梁８の巻上機６側端部に枢持されたつり合おもり側滑車１４に巻掛けられて下降し、つり合おもり４に設けられたつり合おもり用吊り車１５に巻掛けられて上昇し、他端は支持梁８のつり合おもり側綱止め具１６に連結されている。
【０００６】
なお、１７は支持梁８の上に設けられてつり合おもり側滑車１４が枢着されたつり合おもり側滑車取付台、１８は枢持板１２に設けられてかご側滑車１３が枢着されたかご側滑車取付台、１９は昇降路１の底面に設けられてつり合おもり用案内レール５下端、巻上機６が装着された支持台である。
【０００７】
従来のエレベーター装置は上記のように構成され、巻上機６が付勢されると駆動綱車７が回転して主索１０が駆動される。そして、主索１０の動作によってかご２及びつり合おもり４が互いに反対方向へ昇降する。また、かご２及びつり合おもり４による負荷を支持梁８及びかご側綱止め具９を介して、つり合おもり用案内レール５、昇降路１の構造体によって支持するように構成されている。
【０００８】
【発明が解決しようとする課題】
上記のような従来のエレベーター装置において、支持梁８にかご側滑車１３、つり合おもり側滑車１４及びつり合おもり側綱止め具１６による負荷が作用する。そして、かご側滑車１３を枢持した枢持板１２が支持梁８の突出部に装着されるので、両側のつり合おもり用案内レール５に対して不均衡荷重が作用する。このため、つり合おもり用案内レール５の設計、据付工事に煩雑な手数を要するという問題点があった。
【０００９】
この発明は、かかる問題点を解消するためになされたものであり、２：１ローピングによって吊設された主索が巻掛けられて、昇降路に配置されたかご側滑車等による負荷を、簡易な構成によって支持することができるエレベーター装置を得ることを目的とする。
【００１０】
【課題を解決するための手段】
この発明に係るエレベーター装置においては、昇降路の所定経路を昇降するかごと、昇降路の他の所定経路を昇降するつり合おもりと、昇降路の下部に設置された巻上機と、昇降路の頂部の下側に設けられてつり合おもりの上方に配置された支持梁と、昇降路に立設されて上端が支持梁の下側に配置され、つり合おもりの昇降を案内するつり合おもり用案内レールと、一端が昇降路上部のかごの側面に対応する位置に連結されて下降してかごに設けられたかご用吊り車に巻掛けられて上昇し、支持梁の巻上機寄りの端部を介して枢持されたかご側滑車に巻掛けられて下降して巻上機の駆動綱車に巻掛けられて上昇し、支持梁の巻上機寄りの端部を介して枢持されたつり合おもり側滑車に巻掛けられて下降し、つり合おもりに設けられたつり合おもり用吊り車に巻掛けられて上昇し、他端は支持梁に連結された主索と、上部が支持梁の巻上機寄りの端部における下側に連結されて下部はつり合おもり用案内レールの上端に連結された枢持枠とが設けられて、かご側滑車及びつり合おもり側滑車の両者の一方が支持梁の上側に枢着され、上記両者の他方が枢持枠に挟持状態に枢着される。
【００１１】
また、この発明に係るエレベーター装置においては、支持梁が、水平方向に空隙を形成して互いに平行に配置された二本の部材によって構成され、枢持枠が、Ｕ字状をなしこのＵ字の上部が支持梁の二本の部材のそれぞれに連結されて構成されて、かご側滑車及びつり合おもり側滑車の両者の一方が支持梁の上側に枢着され、上記両者の他方が支持梁及び枢持枠の間に配置されて挟持状態に枢着される。
【００１２】
また、この発明に係るエレベーター装置においては、かご側滑車が支持梁の上側に配置され、つり合おもり側滑車が枢持枠に配置される。
【００１３】
また、この発明に係るエレベーター装置においては、つり合おもり側滑車が支持梁の上側に配置され、かご側滑車が枢持枠に配置される。
【００１４】
【発明の実施の形態】
実施の形態１．
図１〜図４は、この発明の実施の形態の一例を示す図で、図１は昇降路の要部横断平面図、図２は図１の昇降路内の要部右側面図、図３は図２の上部拡大図、図４は図３の要部左側面図である。図において、１は昇降路、２は昇降路１内の所定経路を昇降するかご、３は昇降路１に立設されてかご２の両側に配置され、かご２の昇降を案内するかご用案内レールである。４は昇降路１内の他の所定経路を昇降するつり合おもりである。
【００１５】
５は昇降路１に立設されてつり合おもり４の長手の両側に配置され、つり合おもり４の昇降を案内するつり合おもり用案内レール、６は昇降路１の下部に設置された巻上機で、駆動綱車７が設けられている。８は昇降路１の頂部の下側に設けられてつり合おもり４の上方に配置された支持梁で、両端がそれぞれつり合おもり用案内レール５の上端部に支持されている。９は昇降路１上部のかご２の側面に対応する位置に固定されたかご側綱止め具である。
【００１６】
１０は主索で、一端がかご側綱止め具９に連結されて下降してかご２の両側に設けられたかご用吊り車１１に巻掛けられて上昇し、詳細は後述するが支持梁８の巻上機６側の端部の下側に設けられたかご側滑車１３に巻掛けられて下降して駆動綱車７に巻掛けられて上昇し、支持梁８の巻上機６側端部に枢持されたつり合おもり側滑車１４に巻掛けられて下降し、つり合おもり４に設けられたつり合おもり用吊り車１５に巻掛けられて上昇し、他端は支持梁８のつり合おもり側綱止め具１６に連結されている。
【００１７】
２０は枢持枠で、支持梁８の巻上機６寄りの端部における下側に上部が連結され下部はつり合おもり用案内レール５の上端に連結されて、かご側滑車１３を挟持状態に枢持する。
なお、１７は支持梁８の上に設けられてつり合おもり側滑車１４が枢着されたつり合おもり側滑車取付台、１９は昇降路１の底面に設けられてつり合おもり用案内レール５下端、巻上機６が装着された支持台である。
【００１８】
上記のように構成されたエレベーター装置において、巻上機６が付勢されると駆動綱車７が回転して主索１０が駆動される。そして、主索１０の動作によってかご２及びつり合おもり４が互いに反対方向へ昇降する。また、かご２及びつり合おもり４による負荷が支持梁８及びかご側綱止め具９を介して、つり合おもり用案内レール５、昇降路１の構造体によって支持される。
【００１９】
また、支持梁８は巻上機６寄りの一端が枢持枠２０を介して一方のつり合おもり用案内レール５の上端に、また他端は他方のつり合おもり用案内レール５の上端にそれぞれ支持される。このため、かご側滑車１３、つり合おもり側滑車１４及びつり合おもり側綱止め具１６を介して支持梁８に支持される荷重が、単純な上下方向負荷として両側のつり合おもり用案内レール５に作用する。したがって、かご側滑車１３等による負荷を簡易な構成によって支持でき、つり合おもり用案内レール５を簡易に設計できて、容易に据付けることができ製作費を低減することができる。
【００２０】
また、図１〜図４の実施の形態において、支持梁８の上側につり合おもり側滑車１４が配置される。このため、つり合おもり４の最上昇位置を支持梁８に接近することができ、昇降路１の全高を低く設定でき昇降路１の構築費を節減することができる。
【００２１】
実施の形態２．
図５及び図６は、この発明の他の実施の形態の一例を示す図で、図５は昇降路の上部拡大図であり前述の図３相当図、図６は図５の要部左側面図である。なお、図５及び図６の他は前述の図１〜図４の実施の形態と同様にエレベーター装置が構成されている。
【００２２】
図において、前述の図１〜図４と同符号は相当部分を示し、１３は支持梁８の巻上機６側の端部の上側に設けられたかご側滑車、１４はつり合おもり側滑車で、支持梁８の巻上機６寄りの端部における下側に上部が連結され下部はつり合おもり用案内レール５の上端に連結された枢持枠２０に挟持状態に枢持される。
【００２３】
１０は主索で、一端がかご側綱止め具９に連結されて下降してかご２の両側に設けられたかご用吊り車１１に巻掛けられて上昇し、支持梁８の巻上機６側の端部の上側に設けられたかご側滑車１３に巻掛けられて下降して駆動綱車７に巻掛けられて上昇し、枢持枠２０に枢持されたつり合おもり側滑車１４に巻掛けられて下降し、つり合おもり４に設けられたつり合おもり用吊り車１５に巻掛けられて上昇し、他端は支持梁８のつり合おもり側綱止め具１６に連結されている。
【００２４】
上記のように構成されたエレベーター装置において、巻上機６が付勢されると駆動綱車７が回転して主索１０が駆動される。そして、主索１０の動作によってかご２及びつり合おもり４が互いに反対方向へ昇降する。また、かご２及びつり合おもり４による負荷が支持梁８及びかご側綱止め具９を介して、つり合おもり用案内レール５、昇降路１の構造体によって支持される。
【００２５】
また、支持梁８は巻上機６寄りの一端が枢持枠２０を介して一方のつり合おもり用案内レール５の上端に、また他端は他方のつり合おもり用案内レール５の上端にそれぞれ支持される。したがって、詳細な説明を省略するが図５及び図６の実施の形態においても図１〜図４の実施の形態と同様な作用が得られる。
【００２６】
また、図５及び図６の実施の形態において、かご側滑車１３が支持梁８の上側に配置される。このため、水平投影面において昇降路１の側面に対してかご側滑車１３の側面を水平方向に傾斜して配置する場合に、かご側滑車１３の配置スペースを容易に得ることができる。これにより、昇降路の水平投影面における設計の自由度を向上することができる。
【００２７】
実施の形態３．
図７及び図８も、この発明の他の実施の形態の一例を示す図で、図７は昇降路の上部拡大図であり前述の図３相当図、図８は図７の要部左側面図である。なお、図７及び図８の他は前述の図５及び図６の実施の形態と同様にエレベーター装置が構成されている。
【００２８】
図において、前述の図５及び図６と同符号は相当部分を示し、２１は支持梁で、二本の部材が水平方向に空隙を形成して互いに平行に配置されて形成されている。１４はつり合おもり側滑車で、支持梁２１の巻上機６寄りの端部における二本の部材の間及び上部が開口したＵ字状をなす枢持枠２０に挟持状態に枢持される。
【００２９】
上記のように構成されたエレベーター装置において、巻上機６が付勢されると駆動綱車７が回転して主索１０が駆動される。そして、主索１０の動作によってかご２及びつり合おもり４が互いに反対方向へ昇降する。また、かご２及びつり合おもり４による負荷が支持梁２１及びかご側綱止め具９を介して、つり合おもり用案内レール５、昇降路１の構造体によって支持される。
【００３０】
また、支持梁２１は巻上機６寄りの一端が枢持枠２０を介して一方のつり合おもり用案内レール５の上端に、また他端は他方のつり合おもり用案内レール５の上端にそれぞれ支持される。したがって、詳細な説明を省略するが図７及び図８の実施の形態においても図１〜図４の実施の形態と同様な作用が得られる。
【００３１】
また、図７及び図８の実施の形態において、つり合おもり側滑車１４が支持梁２１の二本の部材の間及び枢持枠２０に挟持状態に配置されるので、支持梁２１の上下方向の位置を低く設定することができる。これによって、昇降路１の全高を低くすることができて、エレベーター装置の費用を低減することができる。
【００３２】
【発明の効果】
この発明は以上説明したように、昇降路の所定経路を昇降するかごと、昇降路の他の所定経路を昇降するつり合おもりと、昇降路の下部に設置された巻上機と、昇降路の頂部の下側に設けられてつり合おもりの上方に配置された支持梁と、昇降路に立設されて上端が支持梁の下側に配置され、つり合おもりの昇降を案内するつり合おもり用案内レールと、一端が昇降路上部のかごの側面に対応する位置に連結されて下降してかごに設けられたかご用吊り車に巻掛けられて上昇し、支持梁の巻上機寄りの端部を介して枢持されたかご側滑車に巻掛けられて下降して巻上機の駆動綱車に巻掛けられて上昇し、支持梁の巻上機寄りの端部を介して枢持されたつり合おもり側滑車に巻掛けられて下降し、つり合おもりに設けられたつり合おもり用吊り車に巻掛けられて上昇し、他端は支持梁に連結された主索と、上部が支持梁の巻上機寄りの端部における下側に連結されて下部はつり合おもり用案内レールの上端に連結された枢持枠とを設けて、かご側滑車及びつり合おもり側滑車の両者の一方を支持梁の上側に枢着し、上記両者の他方を枢持枠に挟持状態に枢着したものである。
【００３３】
これによって、支持梁は巻上機寄りの一端が枢持枠を介して一方のつり合おもり用案内レールの上端に、また他端は他方のつり合おもり用案内レールの上端にそれぞれ支持される。このため、かご側滑車、つり合おもり側滑車及びつり合おもり側綱止め具を介して支持梁に支持される荷重が、単純な上下方向負荷として両側のつり合おもり用案内レールに作用する。したがって、かご側滑車等による負荷を簡易な構成によって支持でき、つり合おもり用案内レールを簡易に設計でき、据付け工事を容易化できて製作費を低減する効果がある。
【００３４】
また、この発明は以上説明したように、支持梁を、水平方向に空隙を形成して互いに平行に配置された二本の部材によって構成し、枢持枠を、Ｕ字状をなしこのＵ字の上部を支持梁の二本の部材にそれぞれ連結して構成して、かご側滑車及びつり合おもり側滑車の両者の一方を支持梁の上側に枢着し、上記両者の他方を支持梁及び枢持枠の間に配置して挟持状態に枢着したものである。
【００３５】
これによって、支持梁は巻上機寄りの一端が枢持枠を介して一方のつり合おもり用案内レールの上端に、また他端は他方のつり合おもり用案内レールの上端にそれぞれ支持される。このため、かご側滑車、つり合おもり側滑車及びつり合おもり側綱止め具を介して支持梁に支持される荷重が、単純な上下方向負荷として両側のつり合おもり用案内レールに作用する。したがって、かご側滑車等による負荷を簡易な構成によって支持でき、つり合おもり用案内レールを簡易に設計でき、据付け工事を容易化できて製作費を低減する効果がある。
また、かご側滑車及びつり合おもり側滑車の両者の一方が支持梁及び枢持枠にの間に配置されて挟持状態に枢着される。このため、支持梁の位置を低く設定することができて、昇降路の全高を低く設定でき昇降路の構築費を節減する効果がある。
【００３６】
また、この発明は以上説明したように、かご側滑車を支持梁の上側に配置し、つり合おもり側滑車を枢持枠に配置したものである。
【００３７】
これによって、支持梁は巻上機寄りの一端が枢持枠を介して一方のつり合おもり用案内レールの上端に、また他端は他方のつり合おもり用案内レールの上端にそれぞれ支持される。このため、かご側滑車、つり合おもり側滑車及びつり合おもり側綱止め具を介して支持梁に支持される荷重が、単純な上下方向負荷として両側のつり合おもり用案内レールに作用する。したがって、かご側滑車等による負荷を簡易な構成によって支持でき、つり合おもり用案内レールを簡易に設計でき、据付け工事を容易化できて製作費を低減する効果がある。
また、かご側滑車が支持梁の上側に配置されるので、水平投影面において昇降路の側面に対してかご側滑車の側面を水平方向に傾斜して配置する場合に、かご側滑車の配置スペースを容易に得ることができる。これにより、昇降路の水平投影面における設計の自由度を向上する効果がある。
【００３８】
また、この発明は以上説明したように、つり合おもり側滑車を支持梁の上側に配置し、かご側滑車を枢持枠に配置したものである。
【００３９】
これによって、支持梁は巻上機寄りの一端が枢持枠を介して一方のつり合おもり用案内レールの上端に、また他端は他方のつり合おもり用案内レールの上端にそれぞれ支持される。このため、かご側滑車、つり合おもり側滑車及びつり合おもり側綱止め具を介して支持梁に支持される荷重が、単純な上下方向負荷として両側のつり合おもり用案内レールに作用する。したがって、かご側滑車等による負荷を簡易な構成によって支持でき、つり合おもり用案内レールを簡易に設計でき、据付け工事を容易化できて製作費を低減する効果がある。
また、支持梁の上側につり合おもり側滑車が配置されので、つり合おもりの最上昇位置を支持梁に接近することができる。これにより、昇降路の全高を低く設定でき昇降路の構築費を節減する効果がある。
【図面の簡単な説明】
【図１】  この発明の実施の形態１を示す昇降路の要部横断平面図。
【図２】  図１の昇降路内の要部右側面図。
【図３】  図２の上部拡大図。
【図４】  図３の要部左側面図。
【図５】  この発明の実施の形態２を示す昇降路の上部拡大図であり前述の図３相当図。
【図６】  図５の要部左側面図。
【図７】  この発明の実施の形態３を示す昇降路の上部拡大図であり前述の図３相当図。
【図８】  図７の要部左側面図。
【図９】  従来のエレベーター装置を示す昇降路の要部横断平面図。
【図１０】  図９の昇降路内の要部右側面図。
【図１１】  図１０の上部拡大図。
【図１２】  図１１の要部左側面図。
【符号の説明】
１  昇降路、２  かご、４  つり合おもり、５  つり合おもり用案内レール、６  巻上機、７  駆動綱車、８  支持梁、１０  主索、１１  かご用吊り車、１３  かご側滑車、１４  つり合おもり側滑車、１５  つり合おもり用吊り車、２０  枢持枠、２１  支持梁。
【図１】
0004268275.tif 000002
【図２】
0004268275.tif 000003
【図３】
0004268275.tif 000004
【図４】
0004268275.tif 000005
【図５】
0004268275.tif 000006
【図６】
0004268275.tif 000007
【図７】
0004268275.tif 000008
【図８】
0004268275.tif 000009
【図９】
0004268275.tif 000010
【図１０】
0004268275.tif 000011
【図１１】
0004268275.tif 000012
【図１２】
0004268275.tif 000013